(57)【特許請求の範囲】
【請求項１】
ハウジングと、
固定翼および回転翼で構成されるタービン翼ポンプ部と、
前記タービン翼ポンプ部よりも排気下流側に設けられるドラッグポンプ部と、
前記タービン翼ポンプ部よりも排気下流側の接ガス面を覆うように着脱可能に設けられ、前記接ガス面への堆積物の付着を防止する保護部材と、を備え、
前記ドラッグポンプ部は、円筒ロータと、前記円筒ロータに対して所定ギャップで配置されたステータとで構成され、前記ステータが、内周側の上端面と、前記内周側の上端面よりも下方に位置する外周側の上端面とを含み、
前記保護部材は、
前記ステータの前記外周側の上端面を覆い、前記ステータの前記外周側の上端面への堆積物の付着を防止する底板部と、
前記底板部の外周側に立設され、前記ハウジングの内周面を覆い、前記ハウジングの内周面への堆積物の付着を防止する側壁部とを有する、ターボ分子ポンプ。
【請求項２】
請求項１に記載のターボ分子ポンプにおいて、
前記側壁部が、前記ハウジングの内周面に近接している、又は、前記ハウジングの内周面に接している、ターボ分子ポンプ。
【請求項３】
請求項１または２に記載のターボ分子ポンプにおいて、
前記側壁部が、前記底板部の外周縁を折り曲げることにより構成されている、ターボ分子ポンプ。
【請求項４】
請求項１乃至３のいずれか一項に記載のターボ分子ポンプであって、
前記保護部材の前記底板部が前記ステータの前記外周側の上端面に熱的に接触することにより、前記ステータからの熱により、前記保護部材への堆積物の付着を抑制する、ターボ分子ポンプ。
【請求項５】
請求項１乃至４のいずれか一項に記載のターボ分子ポンプにおいて、
前記ドラッグポンプ部の排気下流側の接ガス面に、断熱材を介して着脱可能に固定されている第２の保護部材をさらに備え、
前記第２の保護部材が、前記ハウジングに前記断熱材を介して固定され、前記ハウジングへの堆積物の付着を防止する底板部を有し、
前記第２の保護部材が、前記円筒ロータおよび前記ステータの下端面に対向し、前記円筒ロータおよび前記ステータからの輻射熱を受けると共に、前記断熱材によって前記第２の保護部材の熱が前記ハウジングに放熱されることを抑制することにより、前記第２の保護部材への堆積物の付着を抑制する、ターボ分子ポンプ。
【請求項６】
請求項１乃至５のいずれか一項に記載のターボ分子ポンプにおいて、
前記保護部材の表面に、フッ素樹脂を含む黒色ニッケルメッキ層が形成されている、ターボ分子ポンプ。
【発明の詳細な説明】
【技術分野】
【０００１】
本発明は、半導体製造装置や分析装置などの中真空から超高真空にわたる圧力範囲で使用されるターボ分子ポンプに関する。
【背景技術】
【０００２】
従来、半導体製造工程や液晶パネル製造工程におけるドライエッチングやＣＶＤ等のプロセスのように、高真空のプロセスチャンバ内で処理を行う工程では、高真空を形成する手段としてターボ分子ポンプのような真空ポンプが用いられている。この種のプロセスでは、プロセスを高速で行うために大量のガスを供給して処理が行われる。
【０００３】
エッチングやＣＶＤ等の処理に使用した場合、ポンプ内に反応生成物が発生しやすい。そのため、ターボ分子ポンプ内の接ガス部において、反応生成物が堆積しやすい。ターボ分子ポンプ内部に堆積した反応生成物は、定期的なメンテナンスの際に洗浄により堆積物を除去するようにしている。メンテナンスにおいては、ターボ分子ポンプを分解し、それぞれの部品に堆積した反応生成物を洗浄等により除去する。そのため、特許文献１や特許文献２に記載のターボ分子ポンプでは、ポンプ全体を分解することなく反応生成物が堆積し易い部品だけを分解し、洗浄できるような構成が提案されている。
【先行技術文献】
【特許文献】
【０００４】
【特許文献１】特開２００３−２７８６９１号公報
【特許文献２】特開平４−３０１１９７号公報
【発明の概要】
【発明が解決しようとする課題】
【０００５】
しかしながら、部品の接ガス部に反応生成物が強固に付着している場合、ブラシ等で擦るなどして除去する必要がある。ところで、上記のような処理に使用される真空ポンプは、腐食等を防止するためにニッケルメッキ等の耐食処理を施すのが一般的である。そのため、反応生成物を擦り落とした際に、反応生成物と一緒にメッキ層まで剥がれてしまうという問題が生じる。そのため、通常の洗浄処理では落とせないような反応生成物が堆積した場合や、反応生成物除去の際にメッキ層まで除去されてしまった場合には、一般的に部品交換が必要となる。そのため、メンテナンスコストが上昇するという問題があった。
【課題を解決するための手段】
【０００６】
本発明の好ましい第一の態様によるターボ分子ポンプは、ハウジングと、固定翼および回転翼で構成されるタービン翼ポンプ部と、前記タービン翼ポンプ部よりも排気下流側に設けられるドラッグポンプ部と、前記タービン翼ポンプ部よりも排気下流側の接ガス面を覆うように着脱可能に設けられ、前記接ガス面への堆積物の付着を防止する保護部材と、を備え、前記ドラッグポンプ部は、円筒ロータと、前記円筒ロータに対して所定ギャップで配置されたステータとで構成され、前記保護部材は、前記ステータの上端面を覆い、前記ステータの上端面への堆積物の付着を防止する底板部と、前記底板部の外周側に立設され、前記ハウジングの内周面を覆い、前記ハウジングの内周面への堆積物の付着を防止する側壁部とを有する。
さらに好ましい態様では、前記側壁部が、前記ハウジングの内周面に近接している、又は、前記ハウジングの内周面に接している。
さらに好ましい態様では、前記側壁部が、前記底板部の外周縁を折り曲げることにより構成されている。
さらに好ましい態様では、前記保護部材の前記底板部が前記ステータの上端面に熱的に接触することにより、前記ステータからの熱により、前記保護部材への堆積物の付着を抑制する。
本発明の好ましい第二の態様によるターボ分子ポンプは、ハウジングと、固定翼および回転翼で構成されるタービン翼ポンプ部と、前記タービン翼ポンプ部よりも排気下流側に設けられるドラッグポンプ部と、前記タービン翼ポンプ部よりも排気下流側の接ガス面を覆うように着脱可能に設けられ、前記接ガス面への堆積物の付着を防止する保護部材と、を備え、前記ドラッグポンプ部は、円筒ロータと、前記円筒ロータに対して所定ギャップで配置されたステータとで構成され、前記保護部材は、前記ステータの上端面を覆い、前記ステータの上端面への堆積物の付着を防止する底板部を有し、前記保護部材の前記底板部が前記ステータの上端面に熱的に接触することにより、前記ステータからの熱により、前記保護部材への堆積物の付着を抑制する。
さらに好ましい態様では、前記保護部材は金属の板材から形成されている。
さらに好ましい態様では、前記ドラッグポンプ部の排気下流側の接ガス面に、断熱材を介して着脱可能に固定されている第２の保護部材をさらに備え、前記第２の保護部材が、前記ハウジングに前記断熱材を介して固定され、前記ハウジングへの堆積物の付着を防止する底板部を有し、前記第２の保護部材が、前記円筒ロータおよび前記ステータの下端面に対向し、前記円筒ロータおよび前記ステータからの輻射熱を受けると共に、前記断熱材によって前記第２の保護部材の熱が前記ハウジングに放熱されることを抑制することにより、前記第２の保護部材への堆積物の付着を抑制する。
さらに好ましい態様では、前記保護部材の表面に、フッ素樹脂を含む黒色ニッケルメッキ層が形成されている。
本発明の好ましい第三の態様によるターボ分子ポンプは、ハウジングと、固定翼および回転翼で構成されるタービン翼ポンプ部と、前記タービン翼ポンプ部よりも排気下流側に設けられるドラッグポンプ部と、前記ドラッグポンプ部の排気下流側の接ガス面を覆うように着脱可能に設けられ、前記接ガス面への堆積物の付着を防止する第２の保護部材と、を備え、前記ドラッグポンプ部は、円筒ロータと、前記円筒ロータに対して所定ギャップで配置されたステータとで構成され、前記第２の保護部材が、前記ハウジングに断熱材を介して固定され、前記ハウジングへの堆積物の付着を防止する底板部を有し、前記第２の保護部材が、前記円筒ロータおよび前記ステータの下端面に対向し、前記円筒ロータおよび前記ステータからの輻射熱を受けると共に、前記断熱材によって前記第２の保護部材の熱が前記ハウジングに放熱されることを抑制することにより、前記第２の保護部材への堆積物の付着を抑制する。
さらに好ましい態様では、前記第２の保護部材が、前記底板部の内周側の縁に立設された第１側壁部と、前記底板部の外周側の縁に立設された第２側壁部とをさらに有する。
【発明の効果】
【０００７】
本発明によれば、ターボ分子ポンプのメンテナンスコストの低減を図ることができる。
【図面の簡単な説明】
【０００８】
【図１】図１は本発明に係るターボ分子ポンプの一実施の形態を示す断面図である。
【図２】図２は、タービン翼ポンプ部よりも下流側の部分の拡大図である。
【図３】図３は、保護部材４０の形状を示す図である。
【図４】図４は、側壁部４０１の形成方法の一例を示す図である。
【図５】図５は、保護部材４１の形状を示す図である。
【図６】図６は、保護部材４２の形状を示す図である。
【発明を実施するための形態】
【０００９】
以下、図を参照して本発明を実施するための形態について説明する。図１は本発明に係るターボ分子ポンプの一実施の形態を示す断面図である。ターボ分子ポンプ１は、複数段の回転翼１２およびロータ円筒部１３が形成されたロータ１０を備える。ロータ１０にはロータシャフト１１が固定されている。ロータシャフト１１はラジアル磁気軸受３２およびアキシャル磁気軸受３３により支持され、モータ３４によって回転駆動される。
【００１０】
磁気軸受３２，３３が非動作時には、ロータシャフト１１はメカニカルベアリング３５ａ，３５ｂによって支持される。ラジアル磁気軸受３２，アキシャル磁気軸受３３，モータ３４およびメカニカルベアリング３５ｂは、ハウジング２０に固定されるベース３０に収納されている。
【００１１】
ポンプケーシング２３の内側には、複数段の回転翼１２に対応して複数段の固定翼２１がポンプ軸方向に配置されている。各段の回転翼１２および固定翼２１には、周方向に配置された複数のタービン翼が設けられている。複数段の固定翼２１は、環状のスペーサ２９を介してそれぞれ積層されている。その積層体はハウジング２０上に配置される。ターボ分子ポンプ１において、複数段の回転翼１２および固定翼２１はタービン翼ポンプ部ＴＰを構成している。
【００１２】
ロータ円筒部１３の外周側には、円筒形状のステータ２２が僅かなギャップを介して配置されている。ステータ２２は、ボルト２２２によってハウジング２０に固定されている。ロータ円筒部１３の外周面またはステータ２２の内周面のいずれか一方にはネジ溝が形成されており、ロータ円筒部１３とステータ２２とでドラッグポンプ部ＤＰを構成している。なお、図１に示す例では、ドラッグポンプ部ＤＰは、ステータ２２にポンプ軸方向のネジ溝が形成されたホルベックポンプを構成している。
【００１３】
ロータ１０が高速回転されると、ポンプケーシング２３の吸気口２３０から流入したガスはタービン翼ポンプ部ＴＰ（回転翼１２および固定翼２１）により排気された後、ドラッグポンプ部ＤＰ（ロータ円筒部１３およびステータ２２）によりさらに圧縮される。そして、最終的には、ハウジング２０に設けられた排気管２６から排出される。排気管２６には、バックポンプ（不図示）が接続される。一般に、ロータ１０，ステータ２２，ハウジング２０等にはアルミ材が用いられ、腐食防止のためにニッケルメッキ等の表面処理が施される。
【００１４】
反応生成物が堆積しやすいガスを用いるプロセスの排気を行う場合、ポンプ内に反応生成物（例えば、塩化アルミニウム等）が堆積しやすい。これらの堆積物は、ポンプ内の圧力が高く、温度が低いほど堆積しやすので、ポンプの排気下流側ほど堆積物が付着しやすくなる。図１に示すターボ分子ポンプ１の場合、タービン翼ポンプ部ＴＰは圧力が低いので、堆積物の付着は比較的少ない。しかし、タービン翼ポンプ部ＴＰの最下段付近よりも下流側では、圧力が上昇し堆積物が付着しやすい。
【００１５】
そのため、ハウジング２０に加熱用のヒータ２００および冷却液パイプ２２３を設け、ヒータのオンオフと冷却液のオンオフとを制御して、ステータ２２を所望の温度に維持するようにしている。それにより、ステータ２２への反応生成物の堆積を防止し、堆積物によるドラッグポンプ部の性能低下や、ステータ２２とロータ円筒部１３との接触等を防止している。
【００１６】
ポンプ動作時においては、ガス排気に伴う熱発生により、ロータ温度が上昇する。ステータ２２もロータ円筒部１３からの輻射熱によって温度が上昇する。そのため、ステータ２２の温度はハウジング２０やベース３０よりも高くなっている。その結果、より温度の低いハウジング２０やベース３０の接ガス面に反応生成物が堆積しやすい。特に、ドラッグポンプ部ＤＰよりも下流側では圧力が比較的高くなるため、ハウジング２０、ベース３０、排気管２６の接ガス面に反応生成物が堆積しやすい。
【００１７】
本実施の形態では、タービン翼ポンプ部ＴＰよりも下流側において、堆積物の付着しやすい接ガス面（壁面）に、反応生成物の堆積を防止し、かつ、安価で容易に交換可能な保護部材４０，４１，４２を配置するようにした。
【００１８】
図２は、図１のタービン翼ポンプ部ＴＰよりも下流側の部分を拡大して示したものである。図２における矢印Ｇは、気体の流れを模式的に示したものである。タービン翼ポンプ部ＴＰで排気された気体は、後段のドラッグポンプ部ＤＰによりさらに排気され、排気管２６より排出される。ステータ２２のネジ溝２２ａは、ロータ円筒部１３と対向する面に形成され、その径方向位置は最下段の回転翼１２の翼根元付近に近い。そのため、図２に示すように、タービン翼ポンプ部ＴＰから排出された気体は、ステータ２２の上端面に沿って渦を巻くように流れてネジ溝２２ａ内に流入する。
【００１９】
その結果、最下段の回転翼１２とステータ２２の上端との間の空間は、気体の滞留時間が長くなる。そのため、滞留空間に面する接ガス面であるステータ２２の上端面や、ハウジング２０の内周面に堆積物が発生しやすい。本実施の形態では、回転翼１２とステータ２２との間の接ガス面の内、ハウジング２０の接ガス面、ステータ２２の接ガス面の一部を覆うように保護部材４０を配置し、接ガス面への反応生成物の堆積を防止するようにした。
【００２０】
図３は、保護部材４０の形状を示す図である。図３（ａ）は保護部材４０の平面図、図３（ｂ）は保護部材４０のＡ１−Ａ１断面図である。保護部材４０は、ステータ２２の接ガス面（上端面）を覆う底板部４００と、底板部４００の外周側の縁に立設された円筒状の側壁部４０１とを備えている。底板部４００には、底板部４００をステータ２２の上端面に固定するボルト２２２（図２参照）が貫通する貫通孔４０２が複数形成されている。図２に示すように、保護部材４０をボルト２２２によりステータ２２に固定すると、側壁部４０１は、ハウジング２０の内周面に近接して配置される。もちろん、側壁部４０１がハウジング２０の内周面に接していても構わない。側壁部４０１とハウジング内周面との隙間が小さいほど、ハウジング内周面への反応生成物の堆積を抑えることができる。
【００２１】
このような保護部材４０を設けた場合、反応生成物は、保護部材４０の底板部４００および側壁部４０１に堆積し、ハウジング内周面およびステータ２２の上端面への堆積物の生成を低減することができる。ポンプメンテナンスにおける反応生成物除去作業において、保護部材４０の表面に付着した堆積物が洗浄によっても除去できない場合には、保護部材４０そのものを交換すれば良い。保護部材４０は、図３に示すように金属（アルミニウム合金やステンレスなど）の板材を加工して作製されるものであって、保護部材４０を設けない場合に反応生成物が堆積するステータ２２やハウジング２０に比べ安価に製作することができる。
【００２２】
保護部材４０を設ける利点について述べる。保護部材４０を設けない場合には、ステータ２２の上端面やハウジング２０の内周面、すなわち、ステータ２２やハウジング２０の接ガス面に、反応生成物が堆積する。反応生成物が硬くて洗浄により除去できない場合や、または、堆積物除去の際にステータ２２やハウジング２０の表面に形成されたメッキ層が剥がれてしまった場合、ステータ２２やハウジング２０を交換する必要がある。一方、本実施の形態のように交換可能な保護部材４０を設けることで、ステータ２２やハウジング２０の接ガス面への反応生成物の堆積を防止でき、メンテナンス時には、保護部材４０を洗浄または交換すればよい。上述のようにアルミニウム合金やステンレスの板材を曲げ加工するだけの保護部材４０は、ハウジング２０やステータ２２に比べて格段に安価である。そのため、メンテナンスコストの低減を図ることができる。
【００２３】
図３に示す保護部材４０では、底板部４００の外周側の縁をプレス加工等により折り曲げることによって側壁部４０１としている。しかし、側壁部４０１の高さが比較的に高い場合には、プレス加工等による壁部形成が難しくなり、加工コストも上昇する。その場合には、図４に示すように、底板部４００と側壁部４０１を別部材で形成するようにしても良い。その場合、底板部４００は、図３に示す底板部４００と同様の形状のリング状板材とされる。
【００２４】
図４は側壁部４０１の形成方法の一例を示す図である。図４（ａ）は、側壁部４０１を形成するための帯状部材４０３を示す図である。帯状部材４０３の下辺には４つのタブ４０４が形成されている。各タブ４０４には、側壁部４０１をステータ２２の上端面にボルト固定するための貫通孔４０４ａが形成されている。この帯状部材４０３を、図４（ｂ）に示すようにリング状に曲げ加工して側壁部４０１とし、各タブ４０４をリング状の側壁部４０１の内側に曲げる。リング状に曲げられた帯状部材４０３の両端部４０３ａ，４０３ｂは、溶接等により接合される。
【００２５】
なお、図２に示す例では、保護部材４０をステータ２２の上端面に固定したが、ハウジング２０側に固定しても良い。しかしながら、ステータ２２とハウジング２０の温度を比較した場合、ロータ１０（ロータ円筒部１３）からの輻射熱を受けるステータ２２の方がハウジング２０よりも温度が高い。そのため、保護部材４０の温度をより高く保持するためには、保護部材４０はステータ２２に固定されるのが好ましい。反応生成物は接ガス面（壁面）温度が低いほど堆積し易いので、温度のより高いステータ２２に保護部材４０を固定することで、保護部材４０への反応生成物の堆積をより抑えることができる。
【００２６】
また、ドラッグポンプ部ＤＰよりも下流側の圧力は、ドラッグポンプ部ＤＰの吸気側の圧力よりもさらに上昇するので、堆積物の付着もさらに著しくなる。本実施の形態のターボ分子ポンプ１では、ドラッグポンプ部ＤＰよりも下流側においては、ステータ２２が固定されるハウジング２０、および、排気管２６の内部に保護部材４１，４２を設けた。
【００２７】
図５は保護部材４１の形状を示す図であり、（ａ）は平面図、（ｂ）はＡ２−Ａ２断面図である。保護部材４１は、ハウジング２０に固定される底板部４１０と、底板部４１０の内周側の縁に立設された側壁部４１１と、底板部４１０の外周側の縁に立設された側壁部４１２とを備えている。底板部４１０はボルト固定用の貫通孔４１０ａが複数形成されている。内周側の側壁部４１１はリング状の壁部であって、ベース３０の筒状部の外周面に対向するように配置される。
【００２８】
外周側の側壁部４１２には、図示左側に切り欠き部４１２ａが形成されている。図１に示すように、側壁部４１２は、ハウジング２０の内周面に対向する壁部である。側壁部４１２の切り欠き部４１２ａは、排気管２６が取り付けられる排気口２０ａ（図２参照）に対向している。ドラッグポンプ部ＤＰの排気側に排気された気体は、保護部材４１の切り欠き部４１２ａを通って排気管２６内に流入する（図２参照）。保護部材４１の側壁部４１１，４１２とそれらによって覆われる壁面（ベース筒状部の外周面およびハウジング２０の内周面）との隙間は、可能な限り小さく設定されている。それにより、側壁部４１１，４１２によって覆われる壁面に反応生成物が堆積するのを、極力抑えることができる。
【００２９】
上述した保護部材４０の場合と同様に、保護部材４１も温度が高いほど反応生成物の堆積を抑制することができる。保護部材４１は、ハウジング２０やベース３０よりも高温となるロータ円筒部１３およびステータ２２の下端面に対向している。そのため、輻射によりロータ円筒部１３およびステータ２２から保護部材４１に入射した熱が、保護部材４１を固定しているベース３０へと逃げないように、保護部材４１とベース３０との間に断熱材４３を介在させるようにしている。保護部材４１をベース３０に接触させて固定する場合に比べて、保護部材４１の温度を高く保持することができる。それにより、保護部材４１への反応生成物の堆積を抑制することができる。
【００３０】
図６は、排気管２６内に配置される保護部材４２の形状を示す図である。図６において、（ａ）は保護部材４２を排気管２６の出口側から見た図であり、（ｂ）は保護部材４２の断面図である。保護部材４２は筒状体であって、一端には、外側に折り曲げられた鍔状部４２１が形成されている。図２に示すように、保護部材４２は、排気管２６内に挿入されるようにハウジング２０に装着される。
【００３１】
保護部材４２を排気管２６へ装着する際には、まず、排気管２６を排気口２０ａに装着する前に、保護部材４２を排気管２６のハウジング排気口側（図２の右側）から挿入する。このとき、鍔状部４２１が排気管２６の端部に当接するまで保護部材４２を挿入する。次いで、排気管２６をハウジング２０にボルト固定する。図２に示すように、保護部材４２の鍔状部４２１は、排気管２６の右端と保護部材４１の切り欠き部４１２ａとの間の空間に配置されることになる。そのため、保護部材４２の図示左右方向の動きは、排気管２６の右端と切り欠き部４１２ａとによって制限されることになる。なお、保護部材４２を排気管２６内に配置する場合、保護部材４２のコンダクタンスを可能な限り大きくするために、保護部材４２の外周面を排気管２６の内周面に密着させるのが好ましい。
【００３２】
排気管２６の接ガス面である内周面は、排気管２６の出口領域を除いて殆どが保護部材４２によって覆われる。そのため、排気管２６への反応生成物の堆積をほぼ防止することができる。メンテナンス時には、保護部材４２を洗浄または交換する。なお、排気管２６の左端に他の排気管を接続する際には、センターリング付きＯリングシールが設けられる。そのため、センターリング付きＯリングシールの配置領域を確保するために、保護部材４２を排気管２６の左端まで延在させないようにしている。
【００３３】
保護部材４１、４２の場合も、上述した保護部材４０の場合と同様に板材や筒材を曲げ加工するだけなので、比較的安価に製作することができる。そのため、保護部材４１、４２を設けることにより、メンテナンス時の反応生成物除去に関するコストを低減することができる。なお、保護部材４１の場合も、側壁部４１１，４１２を、図４に示したように別途設けられた帯状部材により形成しても良い。
【００３４】
ところで、上述した保護部材４０〜４２はアルミニウム合金やステンレス等の板材で形成され、耐食性の向上を図るためニッケルメッキ（例えば、無電解ニッケルメッキ）による表面処理が施される。さらに、ロータ１０からの輻射を吸収しやすいように、輻射率の高い黒色ニッケルメッキを形成するようにしても良い。黒色ニッケルメッキは、Ｎｉ−Ｐ層と黒色酸化皮膜との２層構造で、輻射率が非常に高い。
【００３５】
さらに、ニッケルメッキや黒色ニッケルメッキに代えて、フッ素樹脂を含むニッケルメッキや黒色ニッケルメッキを用いても良い。フッ素樹脂を含むニッケルメッキは、無電解ニッケルメッキにＰＴＦＥ（ポリテトラフルオロエチレン）の微粒子を均一に分散させたものである。そのため、フッ素樹脂コーティングとほぼ同等の低摩擦被膜が得られる。その結果、保護部材４０〜４２に付着堆積した反応生成物を、除去しやすくなる。
【００３６】
以上説明したように、本実施の形態のターボ分子ポンプ１は、図２に示すように、固定翼２１および回転翼１２で構成されるタービン翼ポンプ部ＴＰと、タービン翼ポンプ部ＴＰよりも排気下流側に設けられるドラッグポンプ部ＤＰと、タービン翼ポンプ部ＴＰよりも排気下流側の接ガス面を覆うように着脱可能に設けられ、接ガス面への堆積物の付着を防止する保護部材４０，４１，４２と、を備える。
【００３７】
着脱可能な保護部材４０〜４２を設けることで、堆積物が付着しやすい接ガス面への堆積物付着を抑制することができる。さらに、堆積物が除去しにくい場合であっても、メンテナンス時に保護部材４０〜４２を交換するだけで良いので、メンテナンスコストの低減を図ることができる。
【００３８】
例えば、ドラッグポンプ部ＤＰが、ロータ円筒部１３とステータ２２とで構成されるホルベック型のドラッグポンプ部の場合、堆積物の付着量が多いステータ２２の上端面を覆うように、保護部材４０を設けるのが好ましい。さらに、保護部材４０を、比較的温度の高いステータ２２に熱的に接触させることで、保護部材４０の温度が高温に保持され、保護部材４０への堆積物の付着を低減することができ、メンテナンス期間をより長くすることが可能となる。
【００３９】
また、図２に示すように、ドラッグポンプ部ＤＰの排気下流側の接ガス面である、ベース３０の壁面やハウジング２０の壁面を覆うように、保護部材４１を、断熱材４３を介して着脱可能に固定するようにしても良い。保護部材４１は、温度の高いロータ円筒部１３やステータ２２から輻射を受けて温度が上昇する。そのため、保護部材４１を、温度の比較的低いベース３０に対して断熱材４３を介して固定することで、保護部材４１の温度低下を防止することができ、保護部材４１への堆積物の付着を抑制することができる。なお、断熱材４３にはベース３０よりも熱伝導率の低い材料が用いられる。例えば、ベース３０がアルミ合金である場合、ステンレス材でも良い。
【００４０】
さらに、保護部材４０〜４２の表面にフッ素樹脂を含む黒色ニッケルメッキ層を形成することで、以下のような作用効果を奏する。黒色ニッケルメッキとすることで、高温部材であるロータ１０やステータ２２からの輻射を吸収しやすくなり、保護部材４０〜４２の温度をより高く保持することができる。その結果、保護部材４０〜４２への堆積物の付着を抑制することができる。さらに、黒色ニッケルメッキにフッ素樹脂を含ませることで、保護部材４０〜４２に付着した堆積物を除去しやすくなり、堆積物除去作業の作業コストの低減を図ることができる。
【００４１】
上記では、種々の実施の形態および変形例を説明したが、本発明はこれらの内容に限定されるものではない。本発明の技術的思想の範囲内で考えられるその他の態様も本発明の範囲内に含まれる。例えば、図１に示すターボ分子ポンプ１では、ステータ２２が設けられるハウジング２０と、モータステータや磁気軸受用電磁石等が収納されるベース３０とを別体としたが、ハウジング２０とベース３０とを一体に構成しても良い。また、磁気軸受式のターボ分子ポンプを例に説明したが、磁気軸受式でないターボ分子ポンプにも同様に適用することができる。さらに、ドラッグポンプ部ＤＰをホルベックポンプ型のドラッグポンプとしたが、これに限らず、例えば、ジーグバーンポンプ型のドラッグポンプであっても良い。
【符号の説明】
【００４２】
１…ターボ分子ポンプ、１０…ロータ、１２…回転翼、１３…ロータ円筒部、２０…ハウジング、２１…固定翼、２２…ステータ、２６…排気管、３０…ベース、４０〜４１…保護部材、４３…断熱材、ＤＰ…ドラッグポンプ部、ＴＰ…タービン翼ポンプ部
【図１】
0006641734.tif 000002
【図２】
0006641734.tif 000003
【図３】
0006641734.tif 000004
【図４】
0006641734.tif 000005
【図５】
0006641734.tif 000006
【図６】
0006641734.tif 000007